(57)【要約】【課題】  著作権保護情報の改ざんによる著作権侵害を防止する。【解決手段】  著作権保護用の情報であるデジタルコピー制御記述子およびコンテント利用記述子の改ざんを防止するために、送信側で各記述子の改ざん検出データを計算し、ＥＣＭに入れて伝送する。受信側で受信したデジタルコピー制御記述子およびコンテント利用記述子とＥＣＭ内の改ざん検出データから、改ざんの有無を判定する。改ざんと判定された場合は視聴不可等の制御を行い、改ざんの抑止することで著作権保護が可能となる。【選択図】      図１
2008125097.tif 000002
【特許請求の範囲】
【請求項１】
デジタル放送に使用される番組配列情報の一部とされる著作権保護方式の保護情報であ
って暗号化していないデジタルコピー制御記述子をスクランブルされた番組とともに送信
する放送送信装置において、
送信される前記記述子が伝送路における改ざんの有無を受信装置側で検出するために前
記記述子から改ざん検出データであるメッセージダイジェストを生成する手段と、
番組をスクランブルしてスクランブルされた番組を得る手段と、
番組をスクランブルするのに用いたスクランブル鍵を含むＥＣＭ（Entitlement Contro
l Message）と、前記メッセージダイジェストとを多重化する手段と、
前記多重化したＥＣＭを暗号化する手段と、
前記暗号化したＥＣＭと、前記記述子と、前記スクランブルされた番組とを多重して送
信する手段と、
を備えたことを特徴とする放送送信装置。
【請求項２】
デジタル放送に使用される番組配列情報の一部とされる著作権保護方式の保護情報であ
って暗号化していないデジタルコピー制御記述子およびコンテント利用記述子をスクラン
ブルされた番組とともに放送送信装置で送信し、この送信された信号を放送受信装置で受
信する放送送受信システムにおいて、
前記放送送信装置は、
送信される前記記述子が伝送路における改ざんの有無を受信装置側で検出するために前
記記述子から改ざん検出データであるメッセージダイジェストを生成する手段と、
番組をスクランブルしてスクランブルされた番組を得る手段と、
番組をスクランブルするのに用いたスクランブル鍵を含むＥＣＭ（Entitlement Contro
l Message）と、前記メッセージダイジェストとを多重化する手段と、
前記多重化したＥＣＭを暗号化する手段と、
前記暗号化したＥＣＭと、前記記述子と、前記スクランブルされた番組とを多重して送
信する手段とを備え、
前記放送受信装置は、
前記暗号化したＥＣＭと、前記記述子と、前記スクランブルされた番組とを多重した信
号を受信する手段と、
この受信信号に含まれる暗号化されず送信された前記記述子から改ざん検出データであ
るメッセージダイジェストを生成する手段と、
前記受信信号に含まれるＥＣＭを暗号復号することにより前記メッセージダイジェスト
を得る手段と、
前記受信信号から生成したメッセージダイジェストおよび前記ＥＣＭを暗号復号するこ
とにより得たメッセージダイジェストとを比較することにより前記伝送路における前記記
述子の改ざんを判定する手段と、
この判定結果に応じたコピー制御処理を実行する手段と、
を備えたことを特徴とする放送送受信システム。
【請求項３】
請求項１に基づいて多重して送信される信号を受信する放送受信装置において、
前記放送受信装置は、
前記暗号化したＥＣＭと、前記記述子と、前記スクランブルされた番組とを多重した信
号を受信する手段と、
この受信信号に含まれる暗号化されず送信された前記記述子から改ざん検出データであ
るメッセージダイジェストを生成する手段と、
前記受信信号に含まれるＥＣＭを暗号復号することにより前記メッセージダイジェスト
を得る手段と、
前記受信信号から生成したメッセージダイジェストおよび前記ＥＣＭを暗号復号するこ
とにより得たメッセージダイジェストとを比較することにより前記伝送路における前記記
述子の改ざんを判定する手段と、
この判定結果に応じたコピー制御処理を実行する手段と、
を備えたことを特徴とする放送受信装置。
【発明の詳細な説明】
【技術分野】
【０００１】
この発明は、著作権保護方式に対応した放送送信装置、放送送受信システム、放送受信
装置に関する。
【背景技術】
【０００２】
ＡＲＩＢ（社団法人電波産業会）等で規格化検討中の「著作権保護方式」では、番組提
供者の権利を保護する観点から、スクランブルを利用し、番組の権利保護が可能な受信機
のみが復調できるようにしたことにより、放送された番組の不正な複製を防止することを
可能にしている。
【０００３】
具体的には、デジタル放送用受信機等における番組の権利保護を、次の（１）〜（３）
に記載したように実現している。
（１）番組の複製可能な回数等の番組の利用条件を、番組とともに放送波で伝送する。
（２）放送の送り手側は番組等をスクランブルする鍵を管理し、権利保護情報に示す利
用条件に従って動作をする受信機に対してその鍵を付与する。
（３）受信機から外部接続機器に番組を出力できるのは、その外部接続機器も権利保護
情報に示す番組の使用条件に従う動作をするものである場合に限る。
その際、権利保護情報も付加して出力する。
ここで、番組の複製可能な回数等の番組の利用条件は、デジタル放送に使用される番組
配列情報（ＳＩ(Service Information)、ＰＳＩ(Program Specific Information)）の一
部として既に定義もしくは追加定義されるもので、以下の２つの記述子がそれである。
【０００４】
（１）デジタルコピー制御記述子
既に有料放送のための権利保護情報としてＡＲＩＢ標準規格ARIB STD-B10「デジタル放
送に使用する番組配列情報」に定められている。制約条件なしにコピー可、１世代のみコ
ピー可（受信した放送信号を１回のみ記録できる）、コピー禁止の３状態を指定可能であ
る。
【０００５】
（２）コンテント利用記述子
番組配列情報に新たに導入された権利保護情報であり、コピー禁止の番組に対し、一時
的な蓄積の可／不可の指定と、一時的な蓄積時間の指定（１.５時間、３時間、・・・・
・・、１週間、制限無し）が可能となっているほか、受信機からデジタルで信号を出力す
る場合に、暗号化等により出力データを保護するかどうか指定するという「出力保護ビッ
ト」の指定も可能となっている。
【０００６】
しかしながら、規格化検討中の「著作権保護方式」におけるデジタルコピー制御記述子
とコンテント利用記述子は、非暗号状態で伝送することを前提として規格化が進んでいる
。受信機に入力される前段で上記２つの記述子が改ざんされた場合には、権利保護情報に
示す利用条件に従って動作する正規の受信機であっても、改ざんされた記述子の内容に従
って動作してしまう。このように今の規格では、不正に対し弱いという欠点がある。
【発明の開示】
【発明が解決しようとする課題】
【０００７】
上記したように、規格化検討中の「著作権保護方式」では、改ざんされた記述子の内容
に従って動作してしまうことから、このように今の規格では不正に対し弱い、という問題
がある。
【０００８】
この発明の目的は、著作権保護情報に改ざんがあったかどうかで視聴不可の制御を行い
著作権保護を図ることにある。
【課題を解決するための手段】
【０００９】
上記した課題を解決するために、この発明の放送送信装置は、デジタル放送に使用され
る番組配列情報の一部とされる著作権保護方式の保護情報であって暗号化していないデジ
タルコピー制御記述子をスクランブルされた番組とともに送信する放送送信装置において
、送信される前記記述子が伝送路における改ざんの有無を受信装置側で検出するために前
記記述子から改ざん検出データであるメッセージダイジェストを生成する手段と、番組を
スクランブルしてスクランブルされた番組を得る手段と、番組をスクランブルするのに用
いたスクランブル鍵を含むＥＣＭ（Entitlement Control Message）と、前記メッセージ
ダイジェストとを多重化する手段と、前記多重化したＥＣＭを暗号化する手段と、前記暗
号化したＥＣＭと、前記記述子と、前記スクランブルされた番組とを多重して送信する手
段と、を備えたことを特徴とする。
【００１０】
また、上記した課題を解決するために、この発明の放送送受信システムは、デジタル放
送に使用される番組配列情報の一部とされる著作権保護方式の保護情報であって暗号化し
ていないデジタルコピー制御記述子およびコンテント利用記述子をスクランブルされた番
組とともに放送送信装置で送信し、この送信された信号を受信装置で受信する放送送受信
システムにおいて、前記放送送信装置は、送信される前記記述子が伝送路における改ざん
の有無を受信装置側で検出するために前記記述子から改ざん検出データであるメッセージ
ダイジェストを生成する手段と、番組をスクランブルしてスクランブルされた番組を得る
手段と、番組をスクランブルするのに用いたスクランブル鍵を含むＥＣＭ（Entitlement 
Control Message）と、前記メッセージダイジェストとを多重化する手段と、前記多重化
したＥＣＭを暗号化する手段と、前記暗号化したＥＣＭと、前記記述子と、前記スクラン
ブルされた番組とを多重して送信する手段とを備え、前記受信装置は、前記暗号化したＥ
ＣＭと、前記記述子と、前記スクランブルされた番組とを多重した信号を受信する手段と
、この受信信号に含まれる暗号化されず送信された前記記述子から改ざん検出データであ
るメッセージダイジェストを生成する手段と、前記受信信号に含まれるＥＣＭを暗号復号
することにより前記メッセージダイジェストを得る手段と、前記受信信号から生成したメ
ッセージダイジェストおよび前記ＥＣＭを暗号復号することにより得たメッセージダイジ
ェストとを比較することにより前記伝送路における前記記述子の改ざんを判定する手段と
、この判定結果に応じたコピー制御処理を実行する手段とを備えたことを特徴とする。
【００１１】
上記した手段によれば、著作権保護用の情報であるデジタルコピー制御記述子に改ざん
があるかどうかを検出し、改ざんがあった場合は視聴不可等の制御を行い、改ざんの抑止
することで著作権保護が可能となる。
【発明の効果】
【００１２】
この発明によれば、著作権保護用の情報であるデジタルコピー制御記述子に改ざんがあ
るかを検出し、改ざんが検出された場合は視聴不可等の制御を行い、改ざんを抑止するこ
とが可能となる。
【発明を実施するための最良の形態】
【００１３】
以下、この発明の実施の形態について、図面を参照しながら詳細に説明する。
図１は、この発明に係る放送側について説明するためのブロック図であり、個別の視聴
契約情報であるＥＭＭ（Entitlement Management Message）の生成と多重ブロックやこの
発明に直接に関係のないブロックは省略してある。
【００１４】
図１において、番組情報配列ＳＩ，ＳＰＩの情報の一部として位置付けされる著作権保
護方式用の情報であるデジタルコピー制御記述子および／またはコンテント利用記述子は
、これ以外の番組配列情報ＳＩ、ＰＳＩとともに多重部１０６にて放送信号に多重され放
送されるほか、デジタルコピー制御記述子はメッセージダイジェスト計算部１０１にて、
コンテント利用記述子はメッセージダイジェスト計算部１０２にて改ざん検出データであ
るメッセージダイジェストの計算をそれぞれ行い、全受信装置共通のＥＣＭ（Entitlemen
t Control Message）とともにＥＣＭ多重部１０３へ入力される。
【００１５】
ここで、ＥＣＭは、放送が有料か無料かを表す属性情報のほか、有料放送である場合に
は各受信機が予め放送局から送信され受信し保持しているＥＭＭと比較し、視聴が可能か
どうかを判定するために使用する情報であり、すなわち番組の視聴条件を示す番組情報で
ある。
【００１６】
また、改ざん検出データであるメッセージダイジェストの具体例としては、送信側でＭ
ＡＣ（Message Authentication Code）を計算し、ＥＣＭに入れて伝送する。
【００１７】
メッセージダイジェストの他の具体例としては、ＣＲＣ(Cyclic Redundancy Check)、
パリティー、ＢＣＨ符号、リード・ソロモン符号などの秘密情報を使用しない誤り検出可
能な符号や、鍵を使用しないハッシュ関数を利用し生成したものである。例えば、放送側
で演算したＣＲＣをＥＣＭに入れて伝送する。
【００１８】
メッセージダイジェストのもう一つの他の具体例としては、鍵を使用したハッシュ関数
やブロック暗号を利用し生成したものである。使用する鍵は放送局と受信機が予め秘密裏
に共有化しているものとし、例えばＥＣＭを暗号化する際に使用するワーク鍵は予め秘密
裏に共有化しており、また受信機内でもＩＣカードなどのブロック内に安全に管理されて
おり最適である。ワーク鍵以外にも、放送局と受信機が共有化できている鍵であれば良い
。ここで利用するメッセージダイジェストは秘密の鍵を利用して生成しているものであり
、鍵を知らない者が生成する危険性は低いため、放送側で演算したメッセージダイジェス
トを暗号化して伝送する必要は必ずしも無く、ＥＣＭ以外の情報として伝送してもよいし
、ＥＣＭに入れて伝送してもよい。
【００１９】
図１はメッセージダイジェストの計算に際し鍵を使用しない場合の例であり、鍵を使用
する場合には図示しない鍵の管理部からメッセージダイジェスト計算部１０１，１０２に
それぞれ鍵が入力されるものである。この場合の鍵としてＥＣＭの暗号化に使用されるワ
ーク鍵を使用する場合には、暗号部１０５へ与えられる鍵がメッセージダイジェスト計算
部１０１，１０２にもそれぞれ入力される。
【００２０】
ＥＣＭ多重部１０３には、前記メッセージダイジェストの他に、映像音声データなどの
番組のスクランブルに使用されるＥＣＭが多重される。ＥＣＭ多重部１０３から出力され
たＥＣＭは、暗号化部１０５にて暗号化され、多重部１０６に出力される。
【００２１】
なお、暗号化部１０５で暗号化に使用する鍵をワーク鍵と呼び、図示しないＥＭＭの生
成および管理部で生成保持し、暗号化部１０５へ供給されるものである。このワーク鍵は
セキュリティーの低下を防ぐという目的から、定期的に例えば１ヶ月に１度という更新周
期で更新することがあり、更新時には事前に全ての視聴契約者に向けて更新予定の新しい
ワーク鍵をＥＭＭに入れ送付するようになっている。放送局では新しいワーク鍵の入った
ＥＭＭをほぼすべての受信機が受信した頃を見計らってワーク鍵を更新するものである。
【００２２】
また、スクランブル部１０４では映像音声データなどの番組がスクランクブルされ、多
重部１０６に出力される。このスクランブルに使用される鍵は、ＥＣＭに多重されるスク
ランブル鍵である。
【００２３】
以上説明したように、デジタルコピー制御記述子およびコンテント利用記述子のメッセ
ージダイジェストは、ＥＣＭに多重された後、暗号化されて受信機まで改ざんされること
なく伝送可能となる。
【００２４】
図２は、この発明の放送受信装置の一実施の形態について説明するためのブロック図で
ある。なお、この図２ではＥＭＭの受信部および暗号復号部や、番組配列情報ＳＩ，ＰＳ
Ｉを使用しての番組表生成部や番組表の表示部、リモコン入力部などユーザーインターフ
ェース部、などこの発明の説明に直接関係のないブロックは省略してある。
【００２５】
分離部２０１では、受信した放送信号から番組データ、番組配列情報（ＳＩ，ＰＳＩ）
、ＥＣＭ、図示しないＥＭＭを分離する。分離された番組配列情報ＳＩ，ＰＳＩは、さら
に分離部２０３にて番組情報配列ＳＩ，ＳＰＩの情報の一部であるデジタルコピー制御記
述子およびコンテント利用記述子、それにこれ以外の番組配列情報ＳＩ，ＰＳＩに分離さ
れる。ここで他の番組配列情報ＳＩ，ＰＳＩは図示しない番組表生成部で番組表に加工さ
れ、オンスクリーン表示などでユーザーに提示したり、選局時の情報として受信機の制御
に使用するものである。
【００２６】
デジタルコピー制御記述子およびコンテント利用記述子は著作権保護処理部２１４に与
えられ、著作権保護処理部２１４では２つの記述子に従い著作権保護がなされるように、
受信機の出力信号を制御したり、図示しない蓄積装置において一時的な蓄積が指定時間の
間だけできるように制御したりするものである。また、デジタルコピー制御記述子および
コンテント利用記述子はメッセージダイジェスト計算部２０６，２０７にも与えられ、そ
れぞれのメッセージダイジェストを計算する。
【００２７】
なお、図２はメッセージダイジェストの計算に際し鍵を使用しない場合の例であり、鍵
を使用する場合には図示しない鍵の管理部からメッセージダイジェスト計算部２０６，２
０７に鍵がそれぞれ入力されるものである。この場合の鍵としてＥＣＭの復号化に使用さ
れＥＭＭメモリ２０５に記憶されているワーク鍵を使用する場合には、このワーク鍵がメ
ッセージダイジェスト計算部２０６，２０７にもそれぞれ与えられる。
【００２８】
次に、分離部２０１で分離されたＥＣＭは、復号部２０２で暗号の復号を行い、分離部
２０４でメッセージダイジェスト、スクランブル鍵、番組に関する視聴条件情報に分けら
れる。
【００２９】
分離部２０４で分離された２つの記述子のメッセージダイジェストはそれぞれ比較部２
０９，２１０に与えられ、メッセージダイジェスト計算部２０６，２０７でそれぞれ計算
されたメッセージダイジェストと比較判定する。判定の結果はそれぞれ著作権保護処理部
２１４に与えられる。
【００３０】
分離部２０４で分離されたスクランブル鍵は、スイッチ２１１、スイッチ２１２を経由
して復号部２１３に与え、番組の復号が行われる。復号された番組は、図示しないＭＰＥ
Ｇ(Moving Picture Coding Experts Group)でコード処理等をされた後、著作権保護部２
１４を経由して視聴者に提供される。
【００３１】
分離部２０４で分離された番組に関する視聴条件情報は、視聴可否判定部２０８でＥＭ
Ｍメモリ２０５内の個別契約情報と比較判定処理され、視聴可能かどうかの判定を行う。
視聴可と判定された場合には、スイッチ２１１をＯＮし、スクランブル鍵の通過を許可す
る。
【００３２】
著作権保護処理部２１４では比較部２０９，２１０からデジタルコピー制御記述子およ
びコンテント利用記述子の改ざんの有無が通知され、改ざんがあった場合にスイッチ２１
２をＯＦＦし、スクランブルされた番組の暗号を解くスクランブル鍵をデスクランブル部
２１３に供給しないこととする。従って、出力信号はスクランブルされたままの番組、も
しくは出力信号はミュート状態となる。
【００３３】
ここで、送信側でＭＡＣを計算してＥＣＭに入れて伝送した場合は、受信側で受信した
デジタルコピー制御記述子およびコンテント利用記述子からＭＡＣを計算してＥＣＭ内の
ＭＡＣと比較し改ざんを判定するためのものである。
【００３４】
また、放送側で演算したＣＲＣをＥＣＭに入れて伝送した場合、受信側ではＥＣＭから
取り出したＣＲＣと受信した記述子から計算したＣＲＣとを比較し、両者が一致すれば改
ざん無し、不一致なら改ざん有りと判断する。なお放送側で演算したＣＲＣは、暗号で保
護されたＥＣＭに入れて伝送されるため、このＣＲＣ自体が改ざんされる危険性は低い。
【００３５】
さらに、鍵を使用したハッシュ関数やブロック暗号を利用して生成したものをＥＣＭに
入れて伝送した場合、受信機では、伝送された改ざん検出データを利用して、デジタルコ
ピー制御記述子およびコンテント利用記述子の改ざんの検出を行う。もし改ざん有りと検
出した場合には、ＥＣＭを使用した視聴可否判定処理によりデスクランブル可（視聴可）
であっても、デスクランブル不可とする。
【００３６】
図３は、この発明の放送側の他の実施の形態について説明するためのブロック図である
。この実施の形態は、図１と比較して改ざん検出時の制御モード情報をＥＣＭ多重部１３
に入力し、ＥＣＭ情報の一部として伝送するところが異なっているのみであるため、以下
の説明では、同一の構成部分には同一の符号を付して説明する。
【００３７】
改ざん検出時の制御モード情報とは、受信機でデジタルコピー制御記述子またはコンテ
ント利用記述子の改ざん有りと検出した場合に、受信機が動作すべき制御方法を規定した
ものである。図４に示すように、改ざん検出時の制御モード情報として３ビットをＡ〜Ｃ
で定義し、ビット１をＡ、ビット２をＢ、ビット３をＣに対応させて指定する。
【００３８】
すなわち、Ａに“１”がたった場合はデスクランブル不可、Ｂに“１”がたった場合は
改ざんのあった記述子の無効化（コピー禁止、または一時蓄積不可）、Ｃ“１”がたった
場合は、警告のメッセージ表示、Ａ〜Ｃのいずれにも“１”がたたない場合は、何もしな
い、を切り換えるものである。また、ＡからＣに関しては併用可とするように、改ざん検
出時の制御モード情報は、例えばビットマップ指定方式とする。
【００３９】
図５を用いてこの発明の放送受信装置の他の実施の形態について説明する。この実施の
形態は、図２と比較して図３の送信方法で送信される他の信号とともに多重された改ざん
検出時の制御モード情報を、分離部２０４で分離して著作権保護処理部２１４に入力する
部分、警告メッセージを表示するためのオンスクリーン表示部２０６の追加した部分が異
なっている。また、説明の都合上、ＭＰＥＧデコード処理部２０５も追加している。以下
、図２と同一の構成部分には同一の符号を付して説明する。
【００４０】
図５において、分離部２０１では、受信した放送信号から番組データ、番組配列情報（
ＳＩ，ＰＳＩ）、ＥＣＭ、図示しないＥＭＭを分離する。分離された番組配列情報ＳＩ，
ＰＳＩは、さらに分離部２０３にて番組情報配列ＳＩ，ＳＰＩの情報の一部であるデジタ
ルコピー制御記述子およびコンテント利用記述子、それにこれ以外の番組配列情報ＳＩ，
ＰＳＩに分離される。ここで他の番組配列情報ＳＩ，ＰＳＩは図示しない番組表生成部で
番組表に加工され、オンスクリーン表示などでユーザーに提示されたり、選局時の情報と
して受信機の制御に使用するものである。
【００４１】
デジタルコピー制御記述子およびコンテント利用記述子は著作権保護処理部２１４に与
えられ、著作権保護処理部２１４では２つの記述子に従い著作権保護がなされるように、
受信機の出力信号を制御したり、図示しない蓄積装置において一時的な蓄積が指定時間の
間だけできるように制御したりするものである。またデジタルコピー制御記述子およびコ
ンテント利用記述子はメッセージダイジェスト計算部２０６，２０７にも与えられ、それ
ぞれのメッセージダイジェストを計算する。
【００４２】
なお、図５はメッセージダイジェストの計算に際し鍵を使用しない場合の例であり、鍵
を使用する場合には図示しない鍵の管理部からメッセージダイジェスト計算部２０６，２
０７に鍵がそれぞれ入力されるものである。この場合の鍵としてＥＣＭの復号化に使用さ
れＥＭＭメモリ２５に記憶しているワーク鍵を使用する場合には、このワーク鍵がメッセ
ージダイジェスト計算部２０６，２０７にもそれぞれ与えられる。
【００４３】
次に、分離部２０１で分離されたＥＣＭは復号部２０２で復号され、分離部２０４でメ
ッセージダイジェスト、改ざん検出時の制御モード情報、スクランブル鍵、番組に関する
視聴条件情報に分けられる。分離部２０４で分離された２つの記述子のメッセージダイジ
ェストは、比較部２０９，２１０にそれぞれ与えられ、メッセージダイジェスト計算部２
０６，２０７でそれぞれ計算されたメッセージダイジェストと比較判定する。判定の結果
はそれぞれ著作権保護処理部２１４に与えられる。
【００４４】
分離部２０４で分離されたスクランブル鍵は、スイッチ２１１，２１２を経由して番組
のデスクランブル部２１３に与えられ、デスクランブルされた番組は、ＭＰＥＧデコード
処理部２１５でデコード処理等をされた後、オンスクリーン表示部２１６および著作権保
護部２１４を経由して視聴者に提供される。
【００４５】
分離部２０４で分離された番組に関する視聴条件情報は、視聴可否判定部２０８でＥＭ
Ｍメモリ２０５内の個別契約情報と比較判定処理され、視聴可能かどうかの判定を行う。
判定の結果視聴可と判定した場合には、スイッチ２１１をＯＮし、スクランブル鍵の通過
を許可する。
【００４６】
著作権保護処理部２１４では比較部２０９，２１０からデジタルコピー制御記述子およ
びコンテント利用記述子の改ざんの有無が通知され、改ざんがあった場合には、分離部２
０４から入力される改ざん検出時の制御モード情報に従い受信機を制御する。
【００４７】
なお、改ざん検出時の制御モード情報は、図４に示すように、改ざん検出時の制御モー
ド情報として３ビットをＡ〜Ｃで定義し、ビット１をＡ、ビット２をＢ、ビット３をＣに
対応させて指定する。
【００４８】
すなわち、デスクランブル不可の場合には、著作権保護処理部２１４はスイッチ２１２
をＯＦＦし、スクランブル鍵を番組のデスクランブル部２１３に供給しないこととする。
従って、出力信号はスクランブルされたままの番組となる。
【００４９】
警告のメッセージ表示の場合には、著作権保護処理部２１４はオンスクリーン表示部２
１６に対し警告のメッセージ表示を行うように制御する。なお、警告メッセージは固定的
なメッセージとして著作権保護処理部２１４で予め製造時等に記憶しておき、著作権保護
処理部２１４に対しデータ提示しても良いし、番組配列情報ＳＩ，ＰＳＩの一部として放
送側から提供されたものを、分離部２０３で分離し使用しても良いものとする。
【００５０】
改ざんのあった記述子の無効化の場合には、著作権保護処理部２１４は改ざんのあった
記述子の無効化を行うように動作する。すなわち、デジタルコピー制御記述子に改ざんが
あった場合には出力信号をコピー禁止の制御をした上で出力するものである。また、コン
テント利用記述子に改ざんがあった場合には、図示しない蓄積装置に対し番組の一時蓄積
を不可とする制御を行うものである。
【００５１】
以上説明した例では、メッセージダイジェストをＥＣＭ内で伝送する例であったが、メ
ッセージダイジェストをワーク鍵等の暗号鍵を使用し計算するものとすればＥＣＭ内で伝
送する必要はない。その場合には、暗号鍵を管理している管理部、例えば受信機に使用さ
れるＩＣカードなどでデジタルコピー制御記述子もしくはコンテント利用記述子からメッ
セージダイジェストの計算を行うこととし、暗号鍵が公開されないようにするものとする
。
【００５２】
そしてＩＣカードにはＥＣＭを処理し、契約がある場合にはスクランブル鍵が出力され
る処理とともに、前記メッセージダイジェストの計算結果と、伝送されたメッセージダイ
ジェストの比較を行い、改ざんがあった場合にはＩＣカードから前記スクランブル鍵の出
力を行わない等の処理をするものである。
【００５３】
以上説明したように、著作権保護方式に関わるデジタルコピー制御記述子またはコンテ
ント利用記述子の改ざん検出をすることにより、両記述子の改ざんを検出することができ
、改ざんがあった場合には視聴不可等の制御をすることで改ざんの抑止することができる
。
【００５４】
また、改ざん検出用のメッセージダイジェストは、スクランブル鍵とともにＥＣＭ内で
暗号化され伝送されるため、メッセージダイジェスト自体の改ざんがされることなく安全
に受信機に伝送されるほか、スクランブル鍵の管理と平行して改ざんの有無を検出するた
め、改ざんがあった場合には視聴不可等の制御をすることも可能となる。
【００５５】
さらには改ざんが検出された場合の受信機制御の方法を複数種類設け、放送波で制御可
能とすることにより、改ざんがあった場合のペナルティーのレベルを切り換えることが可
能となる。
【図面の簡単な説明】
【００５６】
【図１】この発明の送信側の一実施の形態について説明するためのブロック図。
【図２】この発明の受信側の一実施の形態について説明するためのブロック図。
【図３】この発明の送信側の他の実施の形態について説明するためのブロック図。
【図４】この発明の改ざん検出時の制御内容について説明するための説明図。
【図５】この発明の受信側の他の実施の形態について説明するためのブロック図。
【符号の説明】
【００５７】
１０１，１０２，２０６，２０７…メッセージダイジェスト計算部
１０３…ＥＣＭ多重部
１０４…スクランブル部
１０５…暗号化部
１０６…多重部
２０１，２０３，２０４…分離部
２０２…復号部
２１３…デスクランブル部
２０５…ＥＭＭメモリ
２０８…視聴可否判定部
２０９，２１０…比較部
２１１，２１２…スイッチ
２１４…著作権保護処理部
２１５…ＭＰＥＧデコード処理部
２１６…オンスクリーン表示部
【図１】
2008125097.tif 000003
【図２】
2008125097.tif 000004
【図３】
2008125097.tif 000005
【図４】
2008125097.tif 000006
【図５】
2008125097.tif 000007